(57)【要約】【課題】複雑な階層、大量の業務画面を有する監視制御システムにおいて、各画面の増改造を行うことなく、計算機の負荷の増大を最小限とし、主画面表示時にオペレータが望む関連画面を提案、表示する。【解決】監視制御システムに適用される表示制御装置において、表示制御装置は、入力手段を用いて複数のモニタに表示する画面を切り替え制御したときの、モニタに表示される画面間の結合度を学習し、主画面に対する関連画面の結合度を重み付けして記憶するデータベースと、複数のモニタのうち第１のモニタに主画面が表示されたとき、データベースから当該主画面との結合度に応じて関連画面を抽出する関連画面抽出処理機能と、抽出された関連画面を第２のモニタに表示すべく画面構成する他モニタ表示処理機能を備え、第２のモニタは複数であり、主画面に対応する異なる関連画面を逐次表示する。【選択図】図１
2013168823.tif 000002
【特許請求の範囲】
【請求項１】
入力手段を介して得たオペレータ指示を監視制御対象に与え、該監視制御対象の状態を複数のモニタに表示して監視制御対象を監視制御する監視制御システムに適用される表示制御装置において、
該表示制御装置は、
前記入力手段を用いて前記複数のモニタに表示する画面を切り替え制御したときの、モニタに表示される画面間の結合度を学習し、主画面に対する関連画面の結合度を重み付けして記憶するデータベースと、
前記複数のモニタのうち第１のモニタに主画面が表示されたとき、前記データベースから当該主画面との結合度に応じて関連画面を抽出する関連画面抽出処理機能と、
抽出された関連画面を第２のモニタに表示すべく画面構成する他モニタ表示処理機能を備え、
前記の第２のモニタは複数であり、前記主画面に対応する異なる関連画面を逐次表示するようにされたことを特徴とする表示制御装置。
【請求項２】
請求項１に記載の表示制御装置において、
抽出された関連画面を表示する前記第２のモニタは、画面を表示していないモニタであり、前記他モニタ表示処理機能は、第１のモニタに主画面が表示されたときに、画面を表示していないモニタから、前記第２のモニタを選択して抽出された関連画面を表示することを特徴とする表示制御装置。
【請求項３】
請求項１に記載の表示制御装置において、
抽出された関連画面を表示する前記第２のモニタは、画面を表示していないモニタであり、前記他モニタ表示処理機能は、第１のモニタに主画面が表示されたときに、画面を表示していないモニタから、前記第２のモニタを選択する選択機能と、
前記第１のモニタに、前記第２のモニタに抽出した関連画面を表示することを促すメッセージを表示するメッセージ表示機能と、
前記入力手段からの表示許可入力を得て、前記第２のモニタに抽出された関連画面を表示する表示機能を有することを特徴とする表示制御装置。
【請求項４】
請求項１から請求項３のいずれかに記載の表示制御装置において、
前記複数のモニタのうち、前記主画面あるいは関連画面を表示していない第３のモニタが存在しているとき、当該第３のモニタの画面上に、現在表示中の画面に代えて新たな関連画面を表示することの確認のメッセージを表示するレコメンド機能を有することを特徴とする表示制御装置。
【請求項５】
請求項１から請求項４のいずれかに記載の表示制御装置において、
前記第１のモニタに表示される主画面は、オペレータが前記入力手段を介して指定した画面であることを特徴とする表示制御装置。
【請求項６】
請求項１から請求項４のいずれかに記載の表示制御装置において、
前記監視制御対象における状態変化を検知する状態変化検知手段と、該状態変化に応じて前記データベースに記憶している画面間の結合度を見直す機能とを備え、見直し結果を反映した画面が前記第１のモニタに主画面として表示されることを特徴とする表示制御装置。
【請求項７】
入力手段を介して得たオペレータ指示を監視制御対象に与え、該監視制御対象の状態を複数のモニタに表示して監視制御対象を監視制御する監視制御システムに適用される表示制御方法において、
前記入力手段を用いて前記複数のモニタに表示する画面を切り替え制御したときの、モニタに表示される画面間の結合度を学習し、主画面に対する関連画面の結合度を重み付けして記憶し、
前記複数のモニタのうち第１のモニタに主画面が表示されたとき、前記データベースから当該主画面との結合度に応じて関連画面を抽出し、
抽出された関連画面を第２のモニタに表示すべく画面構成し、
前記の第２のモニタは複数であり、前記主画面に対応する異なる関連画面を逐次表示するようにされたことを特徴とする表示制御方法。
【請求項８】
請求項７に記載の表示制御方法において、
抽出された関連画面を表示する前記第２のモニタは、画面を表示していないモニタであり、第１のモニタに主画面が表示されたときに、画面を表示していないモニタから、前記第２のモニタを選択し抽出された関連画面を表示することを特徴とする表示制御方法。
【請求項９】
請求項７に記載の表示制御方法において、
抽出された関連画面を表示する前記第２のモニタは、画面を表示していないモニタであり、第１のモニタに主画面が表示されたときに、画面を表示していないモニタから、前記第２のモニタを選択し、
前記第１のモニタに、前記第２のモニタに抽出した関連画面を表示することを促すメッセージを表示し、
前記入力手段からの表示許可入力を得て、前記第２のモニタに抽出された関連画面を表示することを特徴とする表示制御方法。
【請求項１０】
請求項７から請求項９のいずれかに記載の表示制御方法において、
前記複数のモニタのうち、前記主画面あるいは関連画面を表示していない第３のモニタが存在しているとき、当該第３のモニタの画面上に、現在表示中の画面に代えて新たな関連画面を表示することの確認のメッセージを表示することを特徴とする表示制御方法。
【請求項１１】
請求項７から請求項１０のいずれかに記載の表示制御方法において、
前記第１のモニタに表示される主画面は、オペレータが前記入力手段を介して指定した画面であることを特徴とする表示制御方法。
【請求項１２】
請求項７から請求項１０のいずれかに記載の表示制御方法において、
前記監視制御対象における状態変化を検知し、該状態変化に応じて前記データベースに記憶している画面間の結合度を見直し、見直し結果を反映した画面が前記第１のモニタに主画面として表示されることを特徴とする表示制御方法。
【請求項１３】
入力手段と、複数のモニタと、入力手段を介して得たオペレータ指示を監視制御対象に与え、該監視制御対象の状態を複数のモニタに表示して監視制御対象を監視制御する監視制御装置を備えるに適用される監視制御システムにおいて、
前記監視制御装置は、
前記入力手段を用いて前記複数のモニタに表示する画面を切り替え制御したときの、モニタに表示される画面間の結合度を学習し、主画面に対する関連画面の結合度を重み付けして記憶するデータベースと、
前記複数のモニタのうち第１のモニタに主画面が表示されたとき、前記データベースから当該主画面との結合度に応じて関連画面を抽出する関連画面抽出処理機能と、
抽出された関連画面を第２のモニタに表示すべく画面構成する他モニタ表示処理機能を備え、
前記の第２のモニタは複数であり、前記主画面に対応する異なる関連画面を逐次表示するようにされたことを特徴とする監視制御システム。
【請求項１４】
請求項１３に記載の監視制御システムにおいて、
前記監視制御対象における状態変化を検知する状態変化検知手段、該状態変化に応じて前記データベースに記憶している画面間の結合度を見直す結合度見直し手段を備えることを特徴とする監視制御システム。
【発明の詳細な説明】
【技術分野】
【０００１】
本発明は、表示制御装置及び方法並びに監視制御システムに係り、例えば変電所等の状態を監視制御するための電力監視制御システムに適用される表示制御装置及び方法並びに監視制御システムに関する。
【背景技術】
【０００２】
多くの産業用プラントやプロセスには、マンマシンインターフェイス装置が採用されている。ここではモニタ上にプラント状態を表示し、入力装置からオペレータが指示を与えることでプラントなどの監視制御を行っている。
【０００３】
具体的なプラントの一例として例えば電力監視制御システムでは、発変電所等を監視制御する。ここに使用されるマンマシンインターフェイス装置では、監視規模や用途、管轄に応じたさまざまな画面をモニタ上に切替表示することでオペレータの判断を支援し、オペレータの判断を入力装置を介して監視制御対象である例えば発変電所等へ伝える。
【０００４】
近年、係る制御システムの分野においては計算機の性能向上や情報の詳細化、要員効率化、運用の一元化などを背景に、１つの監視制御システムが管轄する情報量は増大傾向にあり、監視制御画面枚数も増大している。
【０００５】
また、多くの監視制御システムでは、２４時間管理体制を採用することもあり複数のオペレータが役割を分担、または管轄を分担しながらチームで運用されることが多い。この場合にチーム内でどのように分担するかは、それぞれのチームにある程度の自由裁量が与えられていることが多い。
【０００６】
このように、複数の異なるチーム、メンバのオペレータにより運用され、かつ多数の監視制御画面を使用する監視制御システムでは、監視制御画面の効率的運用のための各種改善が行なわれている。
【０００７】
例えば電力監視制御システムの監視制御画面は、例えば特許文献１または特許文献２によれば、マクロ状況を頂点として段階的に詳細化される階層状の相互リンクと、監視制御対象箇所を軸として、他の階層の一部に画面を遷移させる機能間の相互リンクを有し、マクロ状況の表示画面により管轄となる系統全体を把握した後は、画面間のリンクを辿ることで任意の監視制御画面に辿り着けるように設計されている。
【０００８】
例えば、特許文献３によれば、「デフォルトの監視画面にプラント全体のマクロデータが表示されており、オペレータは、画面上の任意の設備を選択することで機器の詳細情報表示画面へと遷移する」とある。
【先行技術文献】
【特許文献】
【０００９】
【特許文献１】特開第２０１０−５０７２７１号公報
【特許文献２】特開第２０１０−２７３１２４号公報
【特許文献３】特開第２０１１−１１８４９３号公報
【発明の概要】
【発明が解決しようとする課題】
【００１０】
ところで、オペレータは、担当業務に応じて表示する画面の組み合わせが異なることが常である。画面と画面の間には、設備上の強い結びつきがある場合もあれば、オペレータの業務に合うような画面の組み合わせのように、単にレイアウト上の問題であって画面間の相関関係を意識していない場合もある。
【００１１】
特に後者のような場合、たとえば３つのモニタに３つの監視制御画面を出しておくとして、平常時の画面組み合わせはオペレータの質、担当業務、そのときの外部条件（たとえば、ある地域に雷雲が観測されているからその地域の系統図を出しておく等）によって異なり、一概に定義することは困難である。
【００１２】
これに対し、複数のモニタがひとりのオペレータに割り当てられているとき、業務画面の組合せは業務画面の枚数によって決まるともいえる。例えば小規模な監視制御システムでは、監視制御システム製作時にあらかじめ業務画面の組合せを複数定義しておき、オペレータはその組合せを指定することで各々の業務画面を呼出す操作を省略し、オペレータの操作を軽減することができる。
【００１３】
また、たとえば電力系統ネットワークの状態を表示する画面と、その設備に係る警報一覧画面のように、主画面と関連画面の間に明らかな相関関係が認められるときがある。このような相関がある事例では、監視制御システム製作時にあらかじめ画面を切替る仕組み（例えば画面呼出釦等）を組込むことで、オペレータの操作を軽減する方法が知られている。
【００１４】
しかしながら、これらの手法においては、主画面と関連画面の関係を監視制御システム製作時にあらかじめ定義をしておく必要がある。このため、監視制御システム増改造等により業務画面に変更、追加、削除が発生した場合は、画面間の相関関係を見直し、必要であれば既存の業務画面の改造等を行う必要がある。
【００１５】
また、同様の課題に対する解決手段として、特許文献１のような画面の流れに着目し、いままでの画面の表示履歴から、次に表示されるであろう画面の誘導手段を持つことでオペレータの負荷を軽減する装置が提案されている。
【００１６】
例えば、特許文献１で示されるような、事象に対する定型的な流れを学習する手法は、事象が推定可能な場合の限られたシナリオでは一定の効果を発揮すると思われる。しかし、起点となる警報データなどの量は膨大で、復旧手順も監視制御対象の状況によりまちまちである。また、学習により蓄積された操作手順テンプレートが多くなるにつれ、操作パターンの照合、操作予測処理の結果導出に時間がかかることが懸念される。また、非定型な業務では画面のフローという概念は無く、平常時の画面誘導手段としては不足である。
【００１７】
本発明はこのような技術状況に鑑みて成されたものであり、複雑な階層および大量の業務画面を有する監視制御システムにおいて、各画面の増改造を行うことなく、また計算機の負荷の増大を最小限とし、主画面表示時にオペレータが望む関連画面を提案、表示することができる表示制御装置及び方法並びに監視制御システムを提供することを目的とする。
【課題を解決するための手段】
【００１８】
上記目的を達成すべく、本発明に関わる監視制御システムは、オペレータがどのような状況下で主画面を表示し、さらにどの関連画面を呼出したかを監視制御手段にて学習し、画面の呼出しに相関関係を見出した場合、主画面の表示時に最も確からしい関連画面の表示もしくは誘導を行う。
【００１９】
具体的には、入力手段を介して得たオペレータ指示を監視制御対象に与え、監視制御対象の状態を複数のモニタに表示して監視制御対象を監視制御する監視制御システムに適用される表示制御装置において、表示制御装置は、入力手段を用いて複数のモニタに表示する画面を切り替え制御したときの、モニタに表示される画面間の結合度を学習し、主画面に対する関連画面の結合度を重み付けして記憶するデータベースと、複数のモニタのうち第１のモニタに主画面が表示されたとき、データベースから当該主画面との結合度に応じて関連画面を抽出する関連画面抽出処理機能と、抽出された関連画面を第２のモニタに表示すべく画面構成する他モニタ表示処理機能を備え、第２のモニタは複数であり、主画面に対応する異なる関連画面を逐次表示するようにされたことを特徴とする。
【００２０】
また、抽出された関連画面を表示する第２のモニタは、画面を表示していないモニタであり、他モニタ表示処理機能は、第１のモニタに主画面が表示されたときに、画面を表示していないモニタから、第２のモニタを選択して抽出された関連画面を表示することを特徴とする。
【００２１】
また、抽出された関連画面を表示する第２のモニタは、画面を表示していないモニタであり、他モニタ表示処理機能は、第１のモニタに主画面が表示されたときに、画面を表示していないモニタから、第２のモニタを選択する選択機能と、第１のモニタに、第２のモニタに抽出した関連画面を表示することを促すメッセージを表示するメッセージ表示機能と、入力手段からの表示許可入力を得て、第２のモニタに抽出された関連画面を表示する表示機能を有することを特徴とする。
【００２２】
また、複数のモニタのうち主画面あるいは関連画面を表示していない第３のモニタが存在しているとき、当該第３のモニタの画面上に、現在表示中の画面に代えて新たな関連画面を表示することの確認のメッセージを表示するレコメンド機能を有することを特徴とする。
【００２３】
また、第１のモニタに表示される主画面は、オペレータが前記入力手段を介して指定した画面であることを特徴とする。
【００２４】
また、監視制御対象における状態変化を検知する状態変化検知手段と、状態変化に応じてデータベースに記憶している画面間の結合度を見直す機能とを備え、見直し結果を反映した画面が第１のモニタに主画面として表示されることを特徴とする。
【発明の効果】
【００２５】
本発明によれば、モニタに対する監視制御システムからの情報提供が少ない挙動で実行でき、オペレータはオペレータ毎に馴染んだ画面の遷移を行うことができ、操作負担を軽減させることができる。また、オペレータは画面の関連付けを意識的に学習させる必要が無い。
【図面の簡単な説明】
【００２６】
【図１】本発明に係る電力系統監視制御システムにおける画面処理の全体構成を示す図。
【図２】電力系統監視制御システムの監視対象である典型的な電力系統の一例を示す図。
【図３】給電指令所に設置された電力系統監視制御システムの一例を示す図。
【図４】モニタに表示される画面の構成例を示す図。
【図５】画面結合度学習手段によるユーザ結合度学習処理の一例を示すフロー図。
【図６】画面遷移の説明で使用する用語の定義を示す図。
【図７】画面結合度データベースの記憶内容を模式的に示した図。
【図８】関連画面抽出処理の処理内容を示したフロー図。
【図９】隣接モニタ自動表示処理の処理内容を示したフロー図。
【図１０】本発明により推奨される画面遷移事例を示した図。
【図１１】本発明により推奨される画面遷移事例を示した図。
【図１２】隣接モニタレコメンド処理の処理内容を示したフロー図。
【図１３】隣接モニタレコメンド処理のときの画面遷移状態を示した図。
【発明を実施するための形態】
【００２７】
以下、本発明の実施形態について図面を参照して説明する。なおここでは、監視制御システムを電力系統監視に適用する事例で説明する。
【実施例】
【００２８】
図２は、電力系統監視制御システムの監視制御対象である典型的な電力系統２１０の一例を示している。この図でＧ（Ｇ１，Ｇ２，Ｇ３，Ｇ４）は発電所、Ｓ（ＳＡ，ＳＢ，ＳＪ，ＳＥ）は母線や変圧器や遮断器で構成される変電所、Ｌｉは送電線、Ｌｄ（ＬｄＤ，ＬｄＦ，ＬｄＨ，ＬｄＫ）は負荷を表している。これらの構成は任意のものであってよいが、ここでは電力系統を西方面設備と、東方面設備に分けて管理しているものとする。なお、西方面設備と東方面設備からなる電力系統２１０を監視する電力系統監視制御システムは、例えば給電指令所に設置される。
【００２９】
図３は給電指令所に設置された電力系統監視制御システム１１０の一例を示している。電力系統監視制御システム１１０は、計算機で構成されており、各種のデータを蓄積するデータベースＤＢ，演算部分ＯＰ，マンマシンインターフェイス部分ＭＩ、信号などの入出力部Ｉ／Ｏなどで構成されている。
【００３０】
このうちマンマシンインターフェイス部分ＭＩは、複数のモニタ手段（以下単にモニタという）Ｍ１，Ｍ２，Ｍ３、マウスやキーボードなどの入力手段ｋｂで構成される。なお、モニタＭ１，Ｍ２，Ｍ３は、監視操作室内の大画面でもオペレータ手元の小型のモニタのいずれであっても良いが、ここではオペレータが３台のモニタＭ１，Ｍ２，Ｍ３を使用して表示を行い、あるいはこの表示結果を見ながら操作信号を与えるものとする。
【００３１】
信号などの入出力部Ｉ／Ｏには、監視制御対象である図２の電力系統２１０の各所から、電流、電圧、電力などのプロセス量、あるいは遮断器、開閉器などの開閉状態、さらには保護継電装置の動作状態などが信号Ｓ１として監視制御手段１１６に入力されている。また監視制御手段１１６から遮断器、開閉器などに対して操作信号Ｓ２が与えられる。さらに、動作状態信号Ｓ１、操作信号Ｓ２以外に、気象条件測定装置１１７や時計装置１１８からも信号が与えられている。
【００３２】
演算部分ＯＰは、画面結合度学習手段１２０、画面結合度算出手段１２１、各部を統括的に制御する監視制御手段１１６、個人識別手段１１５などで構成される。
【００３３】
またデータベースＤＢには各種のデータを蓄積しており、複数の画面結合度データベースＤＢ１（ＤＢ１−ＤＢｎ）、設計時組み込み差分結合度データベースＤＢ２，気象条件用差分結合度データベースＤＢ３などを備えている。
【００３４】
なお、本発明において画面結合度学習手段１２０の具体手法は既存技術を利用可能である。本発明は、学習結果を利用する表示あるいは誘導手法に特徴がある。画面結合度学習手段１２０の具体手法については、特開２００８−２５０５１４号、特開２００４−１４５３９４号などが利用できる。
【００３５】
以下、電力系統監視制御システム１１０の処理内容について具体的に説明する。まず監視制御システム１１０を使用するオペレータは、最初に個人識別手段１１５でＩＤ確認することにより、監視制御システム１１０にログインする。ログイン後、オペレータは入力手段ｋｂを介して、モニタＭ１，Ｍ２，Ｍ３のいずれかを選択し、選択したモニタに任意の画面を表示する。
【００３６】
図４は、モニタＭ１，Ｍ２，Ｍ３に表示される表示内容（以下これを画面という）の構成例を示している。画面は、通常は階層構成とされている。ここでは、モニタ消去状態を第一段階層の画面として位置づけ、消去状態画面をＡ０とする。モニタ起動後に表示される内容は、第二段階層のメニュ選択用画面であり、これをＡ１とする。メニュ選択用画面Ａ１では、例えば４種類のメニュが選択できる。４種類のメニュにより選択される画面Ａ２は、階層的には第三段階層に位置づけられ、ここでは、西方面系統図Ａ２１，東方面系統図Ａ２２，運転状態表示図Ａ２３，報告用図Ａ２４がこれに相当する。このように、第二段階層の画面から、第三段階層の画面が派生する。
【００３７】
同様にして、第三段階層の画面から、第四段階層の画面Ａ３が派生する。例えば方面系統図Ａ２１、Ａ２２において、ここに含まれる変電所Ｓごとに変電所結線図Ａ３Ａ１、Ａ３Ｊ１や、変電所故障一覧図Ａ３Ａ２、Ａ３Ｊ２などを派生的に読み出して表示できる階層構成となっている。なお図４では図示の都合上、図２の変電所Ａ，Ｊについての変電所結線図Ａ３Ａ１、Ａ３Ｊ１や、変電所故障一覧図Ａ３Ａ２、Ａ３Ｊ２のみを記載しているが、同様の表示画面は、図２の他の変電所のものも用意されている。
【００３８】
電力監視制御システムの設置される給電指令所には、ここの責任者である指令長と複数のオペレータが勤務している。各オペレータは、指令長から当日の所定時間帯の監視制御範囲と業務内容を指示される。また各オペレータにはそれぞれ複数のモニタが割り当てられており、例えばオペレータＡは西方面設備担当、オペレータＢは東方面設備担当とされる。さらにオペレータＢは、当日の日報作成業務を免除されている。これらの事情により、各オペレータが監視制御に利用する図４の画面が選択される。
【００３９】
オペレータはログイン後、複数のモニタＭを使用して電力系統の監視制御を行う。複数のモニタＭには、自らの操作により、割り当てられた業務に応じた画面と、その他必要と思われる画面を適宜表示する。これらの画面は、図４の構成の画面群からオペレータの判断により適宜選択して使用される。
【００４０】
図３の画面結合度学習手段１２０は、オペレータによる画面操作の遷移状態から画面間の結合度を学習し、画面結合度データベースＤＢ１を構成している。この処理は、常時のオペレータによる画面操作のなかで実施されている。
【００４１】
本発明の場合に、画面結合度データの構築手法は公知の手法を適用することができる。このため、ここでは構築手法の一例を述べるに止める。図３の画面結合度学習手段１２０においては、モニタＭ１，Ｍ２，Ｍ３に表示された画面（Ａ１，Ａ２，Ａ３）と、消去状態画面Ａ０の表示された挙動を観察し、例えば以下に述べる方法にて画面間の結合度を学習する。
【００４２】
挙動観察の観点の１つは、前述の画面内容間の関連度合いであるが、それ以外の要素として参考にならない（参考にすべきでない）事例がある。これは例えば同一モニタ上で、リスト（第２階層のメニュ画面Ａ１）から詳細な画面（第３階層の画面Ａ２）を呼出した後、短い時間のうちに、再びリストに戻る、または画面消去状態Ａ０とした場合の操作などである。これらの事例は、オペレータの意図しない画面遷移操作であり、学習を行わない。逆にある画面を特に目的も無く出し続けていて、その画面を切り替える場合なども学習を行わない事例にすることができる。
【００４３】
また、画面間の関連を推定する場合に、異なるモニタを用いた画面遷移間の時間を考慮することも有効である。短時間のうちに別モニタに画面を選択している場合には、オペレータが意図して画面選択したと考えられる。例えば、あるモニタに、リストから詳細な画面を呼出した後、短い時間のうちに、別のモニタに、別分野のリストを呼び出し、さらに詳細な画面を呼出した場合は、それぞれの画面は関連していると判断し、学習を行う。
【００４４】
なお、自動表示された業務画面が即座にオペレータにより消去状態画面に切り替えられた場合は、オペレータは当該業務画面の呼出しを不満に思ったと考えられるため、画面の結合度を低く学習するのが望ましい。
【００４５】
図５は、画面結合度学習手段１２０において実施するユーザ結合度学習処理の一例を示すフロー図である。なお、操作履歴から画面の結合度を調整する方法は他にも知られている。このため、図５は具体的な一例である。学習の手法としては、画面呼び出しにかかる操作やタイミング、組み合わせが必ずしも図５の判断趣旨に沿うものでなくともよい。
【００４６】
図５の説明に当たり、画面遷移で使用する用語の定義について図６で説明しておく。図６は、時刻ｔ２における３台のモニタ表示内容を時刻ｔ３のように変更した事例である。時刻ｔ２では３台のモニタのうちモニタＭ２に画面５２２を表示しており、両隣のモニタＭ１，Ｍ３を消去状態画面としている。これに対し時刻ｔ３では、モニタＭ３に新たに画面５３３を表示した。
【００４７】
この表示事例の場合に、最初に表示していた画面５２２（モニタを呼び出すのに使用した画面）を「切替要求元画面」、新たに表示した画面５３３を「切替要求画面」、新たな表示のために選択したモニタＭ３を「切替え要求先モニタ」とする。なお切替要求元画面としては、呼び出したい画面、自画面の切り替え、隣接モニタへの切り替えなどが考えられる。
【００４８】
図５の事例の画面結合度学習プログラムの処理では、最初に処理ステップＳ１３１で「切替要求先モニタにおいて現在表示画面の表示は短時間だったか」を確認する。つまり、新しい画面（切替要求画面）の表示を予定しているモニタに現在表示されている画面の表示時間を確認する。図６の例で述べると、モニタＭ３（切替要求先モニタ）に時刻ｔ３以前から別の画面が表示されていたと仮定すると、このときのこの画面の表示時間長Δｔを評価することになる。
【００４９】
この処理において、表示時間Δｔが設定時間よりも短い場合は処理ステップＳ１３２に、表示時間Δｔが設定時間よりも長い場合は処理ステップＳ１３７を経由して処理ステップＳ１３５に移る。なお処理ステップＳ１３７では、その画面表示が極めて長い、従って漫然と画面を出しっぱなしにしていた状態を確認する。極めて長い場合には学習の必要が無いので処理ステップＳ１３６に移り、他のケースの処理を続行する。
【００５０】
ここで処理ステップＳ１３５が選択された状態が何を意味しているか考えてみる。この場合には、モニタＭ３を用いて長時間監視継続してきた画面を廃棄してまで、切替要求画面５３３を表示したいということが言える。かつモニタＭ３上の切替要求画面５３３は、モニタＭ２上の切替要求元画面５２２との関連で表示内容が変更された可能性が高い。
【００５１】
これらの推定事項を勘案して、処理ステップＳ１３５では、切替要求画面５３３と切替要求元画面５２２との関連が高いものと判断してこれらの間の関連指数（ユーザ学習結合度）を上げる。このときの関連を図６にＳ１３１Ｎｏとして示す。尚、後で説明するがこれらの結合度の最終評価は、長期間の経験が反映された形で行われる。
【００５２】
表示時間Δｔが設定時間よりも短い場合、処理ステップＳ１３２において切替先の画面が消去状態画面であることを確認する。この処理において、切替先の画面が消去状態画面である場合は処理ステップＳ１３３に、切替先の画面が消去状態画面でない場合は処理ステップＳ１３４に移る。
【００５３】
切替先の現在画面が消去状態画面である場合が、図６に示されている。時刻ｔ２のモニタＭ３の現在の表示内容５２３が消去状態画面である。この場合に、消去状態画面５２３と切替要求元画面５２２との関連は明らかに無いので、これらの間の関連指数（ユーザ学習結合度）を下げる。このときの関連を図６にＳ１３３として示す。
【００５４】
切替先の画面が消去状態画面でない場合の処理ステップＳ１３４に至ったこの状態では、切替要求先モニタには消去状態画面以外の何らかの画面が表示されており、かつその画面遷移が短時間で行なわれている。このことから、この画面遷移は総括図やサブメニューなどの中間画面であると考えられる。このため、係る状態での結合度評価は行わず、最終的に安定した状態での結合度を改めて検討する。処理ステップＳ１３３，Ｓ１３５終了後は処理ステップＳ１３６に移り、この画面遷移についての処理を終了する。なお、これらの一連の処理は画面遷移ごとに実施され、その都度の画面間の関連度合（結合度）が蓄積される。
【００５５】
この結果、システム起動当初から運転経験を増すほど、より画面間の相関が明確になってくる。図７はこのようにして構築された画面結合度データベースＤＢ１の記憶内容を模式的に示した図である。この図では、図４の画面のうち画面Ａ２１，Ａ２４，Ａ３Ａ１，Ａ２３，Ａ３Ａ２の間の結合度の一例を示している。図７に示す画面結合度データベースＤＢ１の記憶内容は、例えば西方面設備を監視制御対象としたオペレータの画面使用傾向を表すことになる。なおこの図で、図面間を結ぶ線が太いほど、また線に付した数値が大きいほど結合度が高い。
【００５６】
以上のようにしてオペレータの通常操作により、頻繁に使用する画面と画面の結合度を学習することができる。これらの実現形態としては、個人識別手段を使用しない、あるいは、電力監視制御システムに対して１つの学習データをオペレータ間で共有することも考えられるが、オペレータの好みやチームの編成などから、あくまで個人別に管理することが望ましい。
【００５７】
また、電力監視制御システムは１日の電力負荷や発・変電所の作業によって監視制御内容が変化するため、時刻装置によって学習データを時間帯毎に複数断面持ち、管理することが望ましい。
【００５８】
図１は、以上のようにして得られた画面結合度データを用いて実施する電力系統監視制御システムにおける画面処理の全体構成を示す図である。ここでは、処理ステップＳ１０で計算機システムが立ち上がると、処理ステップＳ１２においてオペレータからの画面操作要求を受け付けてその都度３台のモニタＭに表示する画面を切替表示する。
【００５９】
画面操作要求は、オペレータがマウスやキーボードなどの入力手段ｋｂを用いて行う。ここでの操作要求内容は、処理ステップＳ１１に示し、かつ図６で説明したように「切替要求元画面」、「切替要求画面」、「切替要求先モニタ」（自／隣接モニタ）についてのものである。
【００６０】
処理ステップＳ１３では、図５に示したユーザ結合度学習処理を実行する。オペレータがマウスやキーボードなどの入力手段ｋｂによる画面操作を実行する都度、画面結合度データベースＤＢ１の記憶内容を更新処理している。処理ステップＳ１４では、画面切り替え要求に従い、画面表示する。例えば切替要求先モニタを切替要求画面に切替える。
【００６１】
以下、以上のデータを用い実現する本発明の画面表示誘導処理について具体的に説明する。まず処理ステップＳ１５では、関連画面抽出処理を実行する。この具体的な一例が図８の関連画面抽出処理フロー図に示されている。この処理にはユーザ学習結合度処理により求めた画面結合度データ以外に、観点の異なる複数の結合度データが参照される。
【００６２】
まず、図８の処理ステップＳ８１では、メーカ固定結合度テーブルＴｂ１を参照してメーカ固定結合度のデータを読み込む。メーカ固定結合度は、監視制御システム作成時に、メーカが設定した結合度のデータである。処理ステップＳ８２では、ユーザ学習結合度テーブルＴｂ２を参照してユーザ学習結合度のデータを読み込む。なおユーザ学習結合度テーブルＴｂ２は、メーカ固定結合度テーブルＴｂ１の内容を初期値としてその後の学習結果を経験値として加味して構成するのがよい。
【００６３】
処理ステップＳ８３では、気象条件結合度テーブルＴｂ３を参照して気象条件結合度のデータを読み込む。なお気象条件結合度の算出には、図３の気象条件測定装置１１７で計測した気象条件が参酌される。これは例えば電力系統監視エリアに発雷が生じているときに、発雷箇所を含む画面の重みを変更する。あるいは発雷箇所を含む画面間の重みを変更する。但しこの重み変更は、発雷時とその解析時の一時的な処理である。
【００６４】
処理ステップＳ８４では、担当業務結合度テーブルＴｂ４を参照して担当業務結合度のデータを読み込む。なお、担当業務は当該プラントを監視する責任者である指令長が担当者の業務を指示することにより設定される。例えば、図７の画面群を用いた業務のうち、当日は業務日報作成にかかわる業務が免除されているとすると、画面Ａ２４を使用しないのでこれを除いた画面の間の結合度のみを参酌するように条件変更される。
【００６５】
処理ステップＳ８５では、系統状況結合度テーブルＴｂ５を参照して系統状況結合度のデータを読み込む。なお系統状況結合度の算出には、例えば電力系統に設置された保護継電装置からの系統故障検出情報が参酌される。例えば電力系統内のＡ変電所内の事故により遮断器が開放操作されたとすると、画面Ａ２１，Ａ３Ａ１，Ａ３Ａ２間の重みを変更する。但しこの重み変更は、系統故障後の一時的な処理である。
【００６６】
処理ステップＳ８６では、以上述べた複数観点での重みを考慮して各結合度を重畳する。また、処理ステップＳ８６では、関連画面リストを作成する。関連画面リストは、結合度が高い順にソートしたものである。図７のデータベース内容の場合の関連画面リストは、主画面が画面Ａ２１であるとき、画面Ａ２１に対して結合度の高いＡ３Ａ１，Ａ２４，Ａ３Ａ２またはＡ２３（Ａ３Ａ２とＡ２３は同順位）の順にリスト化される。また主画面が画面Ａ３Ａ１であるとき、画面Ａ３Ａ１に対して結合度の高いＡ３Ａ２，Ａ２１，Ａ２３、Ａ２４の順にリスト化される。
【００６７】
このようにして得られた関連画面リストによれば、落雷、系統故障、担当業務変更などの要因が発生していなければ、最終的にはメーカ固定結合度テーブルＴｂ１の内容を初期値としてその後の学習結果を経験値として加味して構成されたユーザ学習結合度のデータが選択されることになる。そして、落雷、系統故障、担当業務変更などの突発要因が発生した状態では、これらの状態が反映された結合度が得られる。
【００６８】
図８の処理フローを実現するために図３のハード構成的には、オペレータによる学習結果を記憶するデータベースＤＢ１に加えて、システム設計時に与えられた設計時組み込み差分結合度データベースＤＢ２、気象条件測定装置１１７による気象情報から導出する気象条件用差分結合度データベースＤＢ３を備えている。なお、図８の処理で参照される各テーブルは、図３のデータベース部ＤＢ内に確保されているものとする。またこれらのデータ以外に、監視制御対象の状態、あるいは担当業務の情報も含めて、動的差分補正との比率按分により画面結合度算出手段１２１が最終的に決定する。
【００６９】
これにより、雷雲が発生し電力系統に故障が発生する可能性が高い場合に関係する画面をより強い結合としたり、発・変電所で事故が発生している場合に当該画面をより強い結合としたりできる。なお、気象条件としては地震予知、発生情報、あるいは火事情報などを加味してもよい。
【００７０】
以上のようにして得られた画面の最終結合度は、特許文献１にあるようなＬＣＳ（Ｌｏｎｇｅｓｔ  Ｃｏｍｍｏｎ  Ｓｕｂｓｅｑｕｅｎｃｅ：最長共通部分列）法を使用せずとも、画面遷移の流れの照合なく取得可能であり、各画面を基準として簡便に得ることができ、また、フローに従う必要が無いため直近の繰り返し操作の学習が反映されやすくなる。
【００７１】
図１の処理ステップＳ１６では隣接モニタ自動表示処理を実施する。処理ステップＳ１６の具体的な処理フローが図９に例示されている。図９での処理について、３台モニタの表示例を示す図６を参照して説明する。図６では、時刻ｔ２においてモニタＭ２が表示中であり、モニタＭ１，Ｍ３が消去状態にある。ここではモニタＭ２を中心に説明する。
【００７２】
処理ステップＳ９１では、（モニタＭ２に対して）隣接するモニタでループする。つまり、モニタＭ１，Ｍ３をチェックする。ここでは最初にモニタＭ３にループしたものとする。
【００７３】
処理ステップＳ９２では、最初に注目したモニタＭ３の現在の画面が消去状態画面かを確認する。消去状態画面でない場合、処理ステップＳ９８に移り、次の隣接モニタＭ１に対して同様の判断と処理を実施する。最初に注目したモニタＭ３の現在の画面が消去状態画面である時には、処理ステップＳ９３を実行する。
【００７４】
処理ステップＳ９３では、図８の処理により求めた関連画面リストの優先順にループする。図７の例で説明すると主画面がＡ２１であり、これがモニタＭ２に表示されているときに、隣接モニタＭ３に表示すべき画面として関連画面リストの優先順からＡ３Ａ１を選択する。
【００７５】
処理ステップＳ９４では、優先順に従って選択した画面Ａ３Ａ１が他のモニタに表示中であるかを確認する。表示中である場合に、処理ステップＳ９５に移り、関連画面リストの次の優先度の画面としてＡ２４を選択する。処理ステップＳ９６ではさらに次優先順の画面をループして検索する。
【００７６】
処理ステップＳ９７では、処理ステップＳ９４から処理ステップＳ９６の一連の処理により選択された画面を隣接モニタＭ３に表示する。ここでは関連画面リストの次の優先度の画面としてＡ３Ａ１を選択表示したものとする。処理ステップＳ９８では、次に画面Ａ３Ａ１を主画面として、図９の一連の処理を実行し、隣接している消去状態画面に順次結合度に応じて最も結合度の高い画面を表示していく。
【００７７】
このようにして、本発明ではある画面（主画面）がオペレータにより指定されたときに、この主画面と結合度の高い画面を順次別のモニタに自動的に提供し、これによりオペレータの画面操作を補助するものである。図１０、図１１に示した画面遷移状況は、本発明により推奨される画面遷移事例を示している。
【００７８】
図１０、図１１において、ｔ１、ｔ２、ｔ３、ｔ４はモニタＭ上の画面が変更された時刻を表しており、この例では、時刻ｔ１において３台全てのモニタＭ１，Ｍ２，Ｍ３には画面表示がされていない。つまり、この時刻のモニタＭ１，Ｍ２，Ｍ３の画面５１１，５１２，５１３（図１１の場合は、６１１，６１２，６１３）は消去状態画面Ａ０とされている。
【００７９】
この状態から、図１０の時刻ｔ２ではログイン後のオペレータ操作により、メニュ画面を介してモニタＭ２の画面５２２に西方面系統図Ａ２１を表示した。ここでは画面５２２を主画面とする。
【００８０】
本発明では、主画面が特定されたことを持って、以後結合度の高い関連画面を自動表示する。図１０の推奨事例では、時刻ｔ３ではモニタＭ２の表示をそのままにして、今度は隣接モニタＭ３の画面５３３に西方面系統図Ａ２１の下位層に属するＡ変電所結線図Ａ３Ａ１を表示した。さらに時刻ｔ４ではモニタＭ２、Ｍ３の表示をそのままにして、今度はモニタＭ１の画面５４１に、西方面系統図Ａ２１の範疇から離れた（上位、下位層の関係にない）報告用図Ａ２４を表示した。
【００８１】
図１０の推奨事例での画面遷移は、主画面に対して関連画面リストの「次の優先度」に従って選択されたものである。つまり、主画面Ａ２１が特定されたときに、図７の第一優先のＡ３Ａ１、第二優先のＡ２４を順次選択して表示したものである。
【００８２】
他方、図１１の推奨される画面遷移の場合には、時刻ｔ１のモニタ全台消去状態画面Ａ０表示の状態から、時刻ｔ２ではログイン後のオペレータ操作により、メニュ画面を介してモニタＭ１の画面６２１に西方面系統図Ａ２１を表示した。ここでは画面６２１を主画面とする。
【００８３】
本発明では、主画面が特定されたことを持って、以後結合度の高い関連画面を自動表示する。図６の推奨事例では、時刻ｔ３ではモニタＭ１の表示をそのままにして、今度はモニタＭ２の画面６３２に西方面系統図Ａ２１の下位層に属するＡ変電所結線図Ａ３Ａ１を表示した。ここまでの画面遷移状況は、表示するモニタが相違するのみで、基本的には図１０の流れと同じである。これに対し、時刻ｔ４ではモニタＭ１、Ｍ２の表示をそのままにして、今度はモニタＭ３の画面６４３に、西方面系統図Ａ２１の範疇内（上位、下位層の関係にある）にあり、かつモニタＭ２のＡ変電所結線図Ａ３Ａ１と対をなすＡ変電所故障一覧図Ａ３Ａ２を表示した。図１１の推奨事例での画面遷移は、関連画面リスト上で次の優先度の画面Ａ３Ａ１を選択したときに、更に次の画面選択はこの優先度の画面Ａ３Ａ１を主画面と見立ててＡ３Ａ２を選択するものである。本発明の優先画面選択はいずれの手法により行ってもよい。
【００８４】
なお図９の実施例において、関連画面を主画面に隣接配置するのは、人間工学的な配慮である。モニタ台数が多い場合に、主画面と関連画面が離れた位置に表示されたのでは、折角の関連性や相関度合いがオペレータに伝わりにくいものになってしまう。隣接して配置されることで、相関の意図が伝わりやすいと考えられる。
【００８５】
なお図１０、図１１の表示方法に関連して、ここでは、最初の状態のモニタが消去状態画面であることから、主画面の指定（モニタＭ２にＡ２１を表示）に応じて以後の表示を自動表示とした。これは画面の自動表示を行うのではなく、何らかの画面を表示したいという促しを行ってもよい。
【００８６】
例えば主画面としてモニタＭ２にＡ２１を表示している状態で、この画面上に何らかの形の図示を行い、この図示をフリッカ、あるいは識別表示することでオペレータの注意を喚起する。オペレータがこれを認識して、この図示を選択操作することで隣接モニタに次の優先度の画面を表示する。この注意喚起が、何らかの画面を表示したいという促しに相当する。
【００８７】
以上の説明における自動表示は、モニタに情報が表示されていないこと（消去状態画面Ａ０）を前提としている。これに対し促し表示は、オペレータの判断を伴うので、モニタに情報が表示されていてもいなくても実現可能である。
【００８８】
なお、隣接モニタに画面を表示していた場合でも、自動的に画面を切り替えてもよい。但し、同様のレイアウトで複数の監視制御箇所が存在する監視制御システムの特性上、誤操作防止の観点からは、消去状態画面への自動表示に留めるのが望ましい。
【００８９】
本発明では、主画面が指定されたときに、自動或いは促しにより関連画面を蓄積学習した履歴情報から順次展開することによりオペレータの操作、判断を支援する。なお自動表示する機器は画面でなくとも、オペレータに情報を提供する装置としての小型液晶表示器やタッチパネル等でもよい。
【００９０】
次に図１の処理ステップＳ１７（隣接モニタレコメンド処理）について説明する。図１２は、この詳細フローを示している。また図１３はこの隣接モニタレコメンド処理のときの画面遷移状態を示している。なお、この隣接モニタレコメンド処理とは、主画面が指定され関連画面を履歴情報から順次展開していくときに、現在別画面表示中のモニタに対してこのモニタにも履歴情報を表示すべきことを確認表示したものである。
【００９１】
図１３の画面遷移状態の初期状態において、時刻ｔ１ではモニタＭ１に画面Ａ２３が表示され、他のモニタＭ２，Ｍ３は消去状態画面Ａ０である。時刻ｔ２のオペレータ操作により、モニタＭ２に画面Ａ２１が表示された。これを主画面とする図９の隣接モニタ自動表示処理（図１の処理ステップＳ１６）により時刻ｔ３でモニタＭ３に関連画面としてＡ３Ａ１（Ａ変電所結線図）が表示された。この時点で図１の処理ステップＳ１６による画面展開は終了している。自動表示できるモニタ（消去状態画面Ａ０のモニタ）が存在していない。
【００９２】
図１２の処理は、この段階からスタートする。ステップＳ１２１では、隣接するモニタでループしており、モニタＭ１を取り上げる。
【００９３】
処理ステップＳ１２２では、注目したモニタＭ１が先の隣接モニタ自動表示（図１処理ステップＳ１６）により自動表示された画面かを確認する。自動表示された画面である場合には、処理ステップＳ１２８に移り、他の隣接するモニタを探す。自動表示された画面でない場合には、処理ステップＳ１２３側の処理に移る。
【００９４】
この状態は時刻ｔ３にあり、モニタＭ１には総需要グラフＡ２３が表示されている。総需要グラフＡ２３は、自動表示された画面ではない。またこの状態では、意図的に選択された画面（西方面系統図Ａ２１）を主画面として図７の関連画面リストを検索し、モニタＭ３に関連画面としてＡ３Ａ１（Ａ変電所結線図）が表示されている。処理ステップＳ１２３では、主画面に関連して次の画面を探す。これは、図７の例では全系統メッセージＡ２４である。
【００９５】
処理ステップＳ１２３では、全系統メッセージＡ２４を表示したモニタが存在しないか確認する。存在しないときには処理ステップＳ１２７に移る。存在するときには処理ステップＳ１２５、Ｓ１２６を経由して処理ステップＳ１２７に移る。処理ステップＳ１２５、Ｓ１２６は、要するに全系統メッセージＡ２４の次に優先順位の画面を決定したものである。
【００９６】
処理ステップＳ１２７では、隣接モニタＭ１にレコメンド表示を行う。図１３の時刻ｔ４のモニタＭ１の画面Ａ２３には、追加情報として「全系統メッセージＡ２４を表示しますか」とのレコメンドを表示する。オペレータは、このレコメンドを確認して次の画面操作指示を決定する。
【００９７】
最後に図１に戻り、処理ステップＳ１８から処理ステップＳ２２の処理について述べる。これらは要するに消去状態画面が存在する場合に、ドミノ式に追跡して表示させるためのものである。基本的には関連画面抽出処理と隣接モニタ自動表示処理を継続実施するものであるので、詳細説明を割愛する。
【００９８】
なお、図１３においてモニタＭ２に表示する主画面は、オペレータ指示によるばかりではなく、電力系統の状態変化に起因してシステム的に自動表示する。例えば、気象条件の変化として発雷、地震の発生、予知に応じて主画面を自動表示し、関連画面を継続して表示する。また電力系統の事故や、近隣火災を対象にすることもできる。
【００９９】
上記のとおり、本実施の形態によれば、日常操作における画面呼び出しや画面の組み合わせを一挙動で行うことができ、また、オペレータの習熟度合いや好み、運用の変化、監視制御対象の状態や気象条件の変化にも柔軟に対応する、関連画面の呼出しインターフェイスを設けることができる。
【０１００】
以上、本発明の実施形態を詳細に例示したが、以上の記述は本発明の適用事例の１つを例示したにすぎず、本発明はこれに限定されない。すまわち、記述した内容に対する修正および変形例を、本発明の範囲から逸脱することのない範囲内で行うことができる。
【符号の説明】
【０１０１】
２１０：電力系統
Ｇ（Ｇ１，Ｇ２，Ｇ３，Ｇ４）：発電所
Ｓ（ＳＡ，ＳＢ，ＳＪ，ＳＥ）：母線や変圧器や遮断器で構成される変電所
Ｌｉ：送電線
Ｌｄ（ＬｄＤ，ＬｄＦ，ＬｄＨ，ＬｄＫ）：負荷
１１０：電力系統監視制御システム
ＤＢ：データベース
ＯＰ：演算部分
ＭＩ：マンマシンインターフェイス部分
Ｉ／Ｏ：入出力部
Ｍ１，Ｍ２，Ｍ３：モニタ手段
ｋｂ：マウスやキーボードなどの入力手段
１１６：監視制御手段
Ｓ２：操作信号
Ｓ１：動作状態信号
１１７：気象条件測定装置
１１８：時計装置
１２０：画面結合度学習手段
１２１：画面結合度算出手段
１１５：個人識別手段
ＤＢ１（ＤＢ１−ＤＢｎ）：画面結合度データベース
ＤＢ２：設計時組み込み差分結合度データベース
ＤＢ３：気象条件用差分結合度データベース
Ａ０：消去状態画面
Ａ１：第二段階層のメニュ選択用画面
Ａ２１：西方面系統図
Ａ２２：東方面系統図
Ａ２３：運転状態表示図
Ａ２４：報告用図
Ａ３Ａ１、Ａ３Ｊ１：変電所結線図
Ａ３Ａ２、Ａ３Ｊ２：変電所故障一覧図
【図１】
2013168823.tif 000003
【図２】
2013168823.tif 000004
【図３】
2013168823.tif 000005
【図４】
2013168823.tif 000006
【図５】
2013168823.tif 000007
【図６】
2013168823.tif 000008
【図７】
2013168823.tif 000009
【図８】
2013168823.tif 000010
【図９】
2013168823.tif 000011
【図１０】
2013168823.tif 000012
【図１１】
2013168823.tif 000013
【図１２】
2013168823.tif 000014
【図１３】
2013168823.tif 000015